(57)【要約】【課題】想像していた住宅と、完成した住宅との間の齟齬を低減させ、もって、顧客満足を十分に得ることができる内覧用模造建物を提供することを目的としている。【解決手段】発泡スチロールによって壁２を形成し、予め設計された間取り図に基づき、該壁２同士を、連結手段を用いて連結することで原寸大の間取りを構築している。これにより、住宅を施工する前に、図面や仮想現実では体感できない臨場感をもって、使い勝手をシミュレーションすることができる。それゆえ、顧客は、当初イメージしていたものと異なる箇所があれば、その場で変更等を建築業者等に要求することができることとなる。【選択図】図１
2020085986.tif 000002
【特許請求の範囲】
【請求項１】
発泡スチロールによって壁を形成し、予め設計された間取り図に基づき、該壁同士を、連結手段を用いて連結することで原寸大の間取りを構築した内覧用模造建物。
【請求項２】
前記壁は、発泡スチロールによって矩形状に形成され、側周面には、周方向に沿って、スリットが形成されており、
前記連結手段は、
長手方向に向かって延設されている垂直部と、
前記垂直部と直交する方向に突設している水平部と、を有し、
前記水平部は、固定手段によって床に固定され、
前記垂直部には、前記壁の底面に形成されているスリットが挿入され、もって、前記壁同士が連結されてなる請求項１に記載の内覧用模造建物。
【請求項３】
前記壁は、発泡スチロールによって矩形状に形成され、側周面には、周方向に沿って、スリットが形成されており、
前記連結手段は、Ｌ字状の金具で形成されており、
前記壁同士の一方の壁を水平方向に、他方の壁を垂直方向に配置して、該壁同士を連結するにあたり、前記壁の上面に形成されているスリットに前記Ｌ字状の金具が挿入されることによって、該壁同士が連結されてなる請求項１又は２に記載の内覧用模造建物。
【発明の詳細な説明】
【技術分野】
【０００１】
本発明は、発泡スチロールによって壁を形成することで、原寸大の間取りを構築した内覧用模造建物に関する。
【背景技術】
【０００２】
近年、コンピュータ内に生成した仮想空間をヘッドマウントディスプレイ（Ｈｅａｄ  Ｍｏｕｎｔ  Ｄｉｓｐｌａｙ：ＨＭＤ）等の装置を用いて体験者に表示し、あたかもその空間内に居るかの様な感覚を提供する、いわゆる仮想現実（Ｖｉｒｔｕａｌ Ｒｅａｌｉｔｙ：ＶＲ）に関する技術が提案されている（例えば、特許文献１，特許文献２参照）。
【０００３】
そこで、このような技術を用いて、住宅を施工する前に、図９に示すような予め設計された間取り図ＭＺに基づいて、仮想空間内に生成した住宅モデルの中にＨＭＤを用いて入り込み、マウス等のコントローラを用いて視点位置を変更若しくは体験者の位置をリアルタイムで計測する装置などと連動して視点位置を変更することで仮想住宅内を自由に歩き回り、頭の動きに連動して表示画像を更新することで周りを見回すなどの機能によって、あたかも住宅の中で生活しているような感覚を提供するものが知られている。
【先行技術文献】
【特許文献】
【０００４】
【特許文献１】特開平９−８１７７４号公報
【特許文献２】特開平８−１６１１０６号公報
【発明の概要】
【発明が解決しようとする課題】
【０００５】
しかしながら、上記のような技術では、実際の距離感が異なっていたり、表示画像で見ていた色と実際の色とが異なっていたりなど、想像していた住宅と、完成した住宅との間に齟齬が生じ、もって、顧客満足を十分に得られていないという問題があった。
【０００６】
そこで、本発明は、上述の問題に鑑み、想像していた住宅と、完成した住宅との間の齟齬を低減させ、もって、顧客満足を十分に得ることができる内覧用模造建物を提供することを目的としている。
【課題を解決するための手段】
【０００７】
上記本発明の目的は、以下の手段によって達成される。なお、括弧内は、後述する実施形態の参照符号を付したものであるが、本発明はこれに限定されるものではない。
【０００８】
請求項１の内覧用模造建物によれば、発泡スチロールによって壁（２）を形成し、予め設計された間取り図（ＭＺ）に基づき、該壁（２）同士を、連結手段（連結金具３，４Ａ，４Ｂ，４Ｃ）を用いて連結することで原寸大の間取りを構築したことを特徴としている。
【０００９】
また、請求項２の発明によれば、上記請求項１に記載の内覧用模造建物において、前記壁（２）は、発泡スチロールによって矩形状に形成され、側周面（上面２０ａ、底面２０ｂ、左側面２０ｃ、右側面２０ｄ）には、周方向に沿って、スリット（２１）が形成されており、
前記連結手段（連結金具３）は、
長手方向に向かって延設されている垂直部（３１）と、
前記垂直部（３１）と直交する方向に突設している水平部（第１水平部３２，第２水平部３３）と、を有し、
前記水平部（第１水平部３２，第２水平部３３）は、固定手段（釘５）によって床（Ｇ）に固定され、
前記垂直部（３１）には、前記壁（２）の底面（２０ｂ）に形成されているスリット（２１）が挿入され、もって、前記壁（２）同士が連結されてなることを特徴としている。
【００１０】
さらに、請求項３の発明によれば、上記請求項１又は２に記載の内覧用模造建物において、前記壁（２）は、発泡スチロールによって矩形状に形成され、側周面（上面２０ａ、底面２０ｂ、左側面２０ｃ、右側面２０ｄ）には、周方向に沿って、スリット（２１）が形成されており、
前記連結手段（連結金具４Ａ，４Ｂ，４Ｃ）は、Ｌ字状の金具で形成されており、
前記壁（２）同士の一方の壁（２）を水平方向に、他方の壁（２）を垂直方向に配置して、該壁（２）同士を連結するにあたり、前記壁（２）の上面（２０ａ）に形成されているスリット（２１）に前記Ｌ字状の金具が挿入されることによって、該壁（２）同士が連結されてなることを特徴としている。
【発明の効果】
【００１１】
次に、本発明の効果について、図面の参照符号を付して説明する。なお、括弧内は、後述する実施形態の参照符号を付したものであるが、本発明はこれに限定されるものではない。
【００１２】
請求項１の発明によれば、発泡スチロールによって壁（２）を形成し、予め設計された間取り図（ＭＺ）に基づき、該壁（２）同士を、連結手段（連結金具３，４Ａ，４Ｂ，４Ｃ）を用いて連結することで原寸大の間取りを構築した内覧用模造建物（１）を構築することができる。これにより、短期間で内覧用模造建物（１）を構築することができると共に、住宅を施工する前に、顧客は、使い勝手をシミュレーションすることができ、もって、実際の大きさや居心地などを現実に体感することができる。
【００１３】
しかして、本発明によれば、想像していた住宅と、完成した住宅との間の齟齬を低減させることができ、もって、顧客満足を十分に得ることができる。
【００１４】
また、請求項２の発明によれば、連結手段（連結金具３）の水平部（第１水平部３２，第２水平部３３）を、固定手段（釘５）によって床（Ｇ）に固定し、連結手段（連結金具３）の垂直部（３１）に、壁（２）の底面（２０ｂ）に形成されているスリット（２１）を挿入するだけで、壁（２）同士を連結することができるから、簡単容易に壁（２）同士を連結することが可能となる。
【００１５】
さらに、請求項３の発明によれば、壁（２）同士の一方の壁（２）を水平方向に、他方の壁（２）を垂直方向に配置して、該壁（２）同士を連結するにあたり、壁（２）の上面（２０ａ）に形成されているスリット（２１）にＬ字状の金具を挿入するだけで、該壁（２）同士を連結することができる。これにより、壁（２）同士の一方の壁（２）を水平方向に、他方の壁（２）を垂直方向に配置して、該壁（２）同士を連結する場合であっても、簡単容易に壁（２）同士を連結することが可能となる。
【図面の簡単な説明】
【００１６】
【図１】本発明の一実施形態に係る内覧用模造建物を上方から見た場合の斜視図である。
【図２】同実施形態に係る内覧用模造建物の一部に実際に人が立ち入って、内覧している状態を上方から見た場合の斜視図である
【図３】（ａ）は、同実施形態に係る内覧用模造建物に実際の家具などを配置している状態を示す斜視図、（ｂ）は、同実施形態に係る内覧用模造建物の原寸大の窓枠や扉枠を実際に人が立ち入って、内覧している状態を示す斜視図である。
【図４】（ａ）は、同実施形態に係る壁を示す斜視図、（ｂ）は、（ａ）に示すＸ−Ｘ線断面図である。
【図５】同実施形態に係る連結金具の斜視図である。
【図６】（ａ）は、図５に示す連結金具を床に固定し、該連結金具に壁の底面に形成されているスリットを挿入した状態の一部を示す斜視図、（ｂ）は、図５に示す連結金具を床に固定し、該連結金具に壁の底面に形成されているスリットを挿入した状態の一部を示す断面図である。
【図７】（ａ）は、Ｔ字形に連結している壁の上面に形成されているスリットに図８（ｂ）に示す連結金具が挿入された状態を示し、さらに、Ｌ字形に連結している壁の上面に形成されているスリットに図８（ｃ）に示す連結金具が挿入された状態を示す連結金具の一部を省略した斜視図、（ｂ）は、Ｔ字形、Ｌ字形に連結している壁の上面に板が載置されている状態を示す斜視図である。
【図８】（ａ）は、同実施形態に係るＬ字状の連結金具の斜視図、（ｂ）は、Ｌ字状の連結金具同士を連結した状態を示す一部を省略した斜視図、（ｃ）は、Ｌ字状の連結金具同士を（ｂ）とは異なる方法で連結した状態を示す一部を省略した斜視図である。
【図９】ある住宅の間取り図を示す平面図である。
【発明を実施するための形態】
【００１７】
以下に、本発明に係る内覧用模造建物の一実施形態について、図面を参照して具体的に説明する。なお、以下の説明において、上下左右の方向を示す場合は、図示正面から見た場合の上下左右をいうものとする。
【００１８】
図１に示すように、内覧用模造建物１は、図９に示すような予め設計された間取り図ＭＺに基づき、発泡スチロールによって形成された壁２を複数形成し、これら壁２同士を連結させることにより、原寸大の間取りを構築している。具体的に説明すると、図９に示すように、間取り図ＭＺは、建築業者等によって予め設計されたもので、具体的な寸法や幅が記載され、和室ＭＺ１やリビングダイニングＭＺ２等の広さや配置、さらに、窓枠ＭＺ１ａ，ＭＺ２ａ，ＭＺ２ｂの寸法等が記載されている。しかるに、このような間取り図ＭＺを見れば、和室ＭＺ１やリビングダイニングＭＺ２等の広さや配置、さらに、窓枠ＭＺ１ａ，ＭＺ２ａ，ＭＺ２ｂの寸法等が分かることとなる。それゆえ、この間取り図ＭＺに基づき、発泡スチロールによって形成された複数の壁２を連結させていけば、図１に示すように、図9に示す和室ＭＺ１に対応した原寸大の和室１０Ａや、図9に示すリビングダイニングＭＺ２に対応した原寸大のリビングダイニング１０Ｂや、図9に示す窓枠ＭＺ１ａに対応した原寸大の窓枠１０Ａａや、図9に示す窓枠ＭＺ２ａに対応した原寸大の窓枠１０Ｂａや、図9に示す窓枠ＭＺ２ｂに対応した原寸大の窓枠１０Ｂｂ等が構築することができ、もって、図１に示すように、原寸大の間取りを構築した内覧用模造建物１を構築できることとなる。
【００１９】
しかして、このような内覧用模造建物１を構築できれば、図２に示すように、原寸大のリビングダイニング１０Ｂ内に、実際に人Ｍ１，Ｍ２が立ち入って、内覧することができる。それゆえ、住宅を施工する前に、顧客は、使い勝手をシミュレーションすることができ、もって、実際の大きさや居心地などを現実に体感することができる。
【００２０】
さらに、図２に示すように、実物のテーブルＫ１を配置したり、図３（ａ）に示すように、実物の食器収納棚Ｋ２，実物のキッチン収納棚Ｋ３，実物のシステムキッチンＫ４等を配置したりすれば、実際に家具を配置した時の距離感が実感として分かることとなる。さらには、このように実際に家具を配置すれば、家電を配置する場所や、コンセントの位置、さらに、ＬＡＮケーブル差込口の位置などをシミュレーションすることができる。またさらには、このような家具が配置された床に床材を敷設すれば、どの床材が最適か肉眼で確認できることとなる。
【００２１】
また一方、図１に示すように、原寸大の窓枠１０Ａａ，１０Ｂａ，１０Ｂｂを構築しておけば、図３（ｂ）に示すように、原寸大の窓枠１１ａを、人Ｍ３は、内覧することができる。そしてさらに、図３（ｂ）に示すように、原寸大の扉枠１２ａを構築しておけば、原寸大の扉枠１２ａを、人Ｍ３は、内覧することができる。そしてこの際、図３（ａ）に示すように、実際の扉や窓Ｔ１を、窓枠や、扉枠に嵌め込むようにすれば、どの扉や窓が最適か肉眼で確認できることとなる。
【００２２】
しかして、このようにすれば、住宅を施工する前に、図面や仮想現実では体感できない臨場感をもって、使い勝手をシミュレーションすることができる。それゆえ、顧客は、当初イメージしていたものと異なる箇所があれば、その場で変更等を建築業者等に要求することができ、もって、その要求に応じた間取り図を建築業者等は新たに設計し直すこととなる。しかるに、このようにすれば、完成した住宅において、形成される部屋の大きさやその他の空間に関して、当初のイメージと異なるという事態を低減することができ、もって、顧客満足を十分に得ることができる。
【００２３】
ところで、発泡スチロールによって形成された複数の壁２を連結させるにあたっては、以下のようにすることができる。
【００２４】
すなわち、発泡スチロールによって形成された壁２は、図４（ａ）に示すように厚板矩形状に形成された壁本体２０を有している。この壁本体２０は、図４に示すように、上面２０ａ、底面２０ｂ、左側面２０ｃ、右側面２０ｄを有しており、この上面２０ａ、底面２０ｂ、左側面２０ｃ、右側面２０ｄには、それぞれ、周方向に沿って、幅２ｍｍ程度のスリット２１が形成されている。このスリット２１は、図４（ｂ）に示すように、深さＤが約６ｃｍに形成されている。しかして、このようなスリット２１には、図５及び図８に示すような連結金具３，４Ａ，４Ｂ，４Ｃが挿入できるようになっている。この点は後述することとする。
【００２５】
連結金具３は、図５に示すように、複数の孔３０ａを有するステンレス製のパンチングメタルからなる連結金具本体３０を有している。この連結金具本体３０は、上面３１ａ，底面３１ｂ，左側面３１ｃ，右側面３１ｄを備えている横長略矩形状の垂直部３１が延設されている。この垂直部３１の高さＨは、スリット２１の深さＤよりも低く形成され、約５．８ｍｍ程度に形成されている。一方、この連結金具本体３０は、垂直部３１の右側面３１ｄ側の底面３１ｂより垂直部３１と直交する方向に第１水平部３２が突設されており、さらに、垂直部３１の左側面３１ｃ側の底面３１ｂより垂直部３１と直交する方向で、且つ、第１水平部３２と異なる方向に第２水平部３３が突設されている。なお、垂直部３１と、第１水平部３２と、第２水平部３３とは、一体的に設けられている。
【００２６】
かくして、上記のように構成される連結金具３は、次のように使用される。すなわち、図６（ｂ）に示すように、連結金具３の第１水平部３２が複数の釘５（図示では、２個）を用いて、床Ｇに固定されている。より詳しく説明すると、この釘５は、頭部５０と、胴部５１と、先端部５２と、フランジ部５３とで構成されており、胴部５１と、先端部５２とは、連結金具３の孔３０ａより若干径小に形成され、フランジ部５３は、連結金具３の孔３０ａより径大に形成されている。なお、頭部５０と、胴部５１と、先端部５２と、フランジ部５３とは、一体成型されている。
【００２７】
しかして、このように形成される釘５の胴部５１と、先端部５２とは、連結金具３の第１水平部３２に設けられている孔３０ａより挿入される。そして、図示しない釘打機によって釘５が打設されていくと、フランジ部５３が連結金具３の孔３０ａより径大に形成さているからこれ以上打設できなくなり、もって、図６（ｂ）に示すように、フランジ部５３と第１水平部３２の面とが接触することとなる。これにより、連結金具３の第１水平部３２が複数の釘５（図示では、２個）を用いて、床Ｇに固定されることとなる。なお、連結金具３の第２水平部３３も同様に、釘５を用いて床Ｇに固定されることとなる。
【００２８】
かくして、このように、連結金具３が床Ｇに固定された状態で、壁本体２０の底面２０ｂに形成されているスリット２１を連結金具３の垂直部３１の上面３１ａより挿入することにより、図６に示すように、連結金具３の垂直部３１に、壁２が立設固定されることとなる。しかるに、このような連結金具３を複数、床Ｇに固定しておけば、壁本体２０の底面２０ｂに形成されているスリット２１を連結金具３の垂直部３１の上面３１ａより挿入していくことにより、図１に示すように、複数の壁２を並設することが可能となる。これにより、壁２同士を連結することが可能となる。なお、壁本体２０の底面２０ｂに形成されているスリット２１を連結金具３の垂直部３１の上面３１ａより挿入した際、図６（ｂ）に示すように、壁本体２０の底面２０ｂは、釘５の頭部５０に接触することとなる。
【００２９】
一方、壁２同士を連結するにあたって、図７（ａ）に示すように、一方の壁２を垂直方向に配置し、他方の壁２を水平方向に配置しているようなＴ字形、Ｌ字形の配置の場合は、上記のような連結金具３を用いると共に、壁本体２０の上面２０ａに形成されているスリット２１に、図８に示すような連結金具４Ａ，４Ｂ，４Ｃが挿入されることとなる。
【００３０】
連結金具４Ａは、図８（ａ）に示すように、複数の孔４０Ａａを有するステンレス製のパンチングメタルからなるＬ字状の連結金具本体４０Ａを有している。この連結金具本体４０Ａは、薄板矩形状の水平部４１Ａと、薄板矩形状の垂直部４２Ａと、で構成されている。水平部４１Ａは、上面４１Ａａと、底面４１Ａｂと、左側面４１Ａｃと、右側面４１Ａｄと、を有しており、上面４１Ａａ及び左側面４１Ａｃ並びに右側面４１Ａｄは、凹凸状に形成されている。また、垂直部４２Ａは、上面４２Ａａと、底面４２Ａｂと、左側面４２Ａｃと、右側面４２Ａｄ（図８（ｂ）参照）と、を有しており、底面４２Ａｂ及び左側面４２Ａｃ並びに右側面４２Ａｄは、凹凸状に形成されている。そして、この水平部４１Ａの底面４１Ａｂと、垂直部４２Ａの上面４２Ａａとが、水平部４１Ａと垂直部４２Ａとが直交するように、一体的に連接されている。これにより、Ｌ字状の連結金具本体４０Ａが形成されることとなる。
【００３１】
一方、連結金具４Ｂは、図８（ｂ）に示すように、複数の孔４０Ｂａを有するステンレス製のパンチングメタルからなるＬ字状の連結金具本体４０Ｂを有している。この連結金具本体４０Ｂは、薄板矩形状横長の水平部４１Ｂと、薄板矩形状の垂直部４２Ｂと、で構成されている。水平部４１Ｂは、上面４１Ｂａと、底面４１Ｂｂと、左側面４１Ｂｃと、右側面４１Ｂｄと、を有しており、上面４１Ｂａ及び底面４１Ｂｂの一部並びに左側面４１Ｂｃ且つ右側面４１Ｂｄは、凹凸状に形成されている。また、垂直部４２Ｂは、上面４２Ｂａと、底面４２Ｂｂと、左側面４２Ｂｃと、右側面４２Ｂｄと、を有しており、底面４２Ｂｂ及び左側面４２Ｂｃ並びに右側面４２Ｂｄは、凹凸状に形成されている。そして、この水平部４１Ｂの凹凸状に形成されてない底面４１Ｂｂの部分と、垂直部４２Ｂの上面４２Ｂａとが、水平部４１Ｂと垂直部４２Ｂとが直交するように、一体的に連接されている。これにより、Ｌ字状の連結金具本体４０Ｂが形成されることとなる。
【００３２】
かくして、上記のように構成される連結金具４Ａと連結金具４Ｂとは、図８（ｂ）に示すように、連結されている。より具体的に説明すると、図８（ｂ）に示すように、連結金具４Ａの水平部４１Ａの上面４１Ａａ側の面と、連結金具４Ｂの水平部４１Ｂの左側面４１Ｂｃ側の面とが重なり合い、その重なり合いによって重なり合った連結金具４Ａの孔４０Ａａと連結金具４Ｂの孔４０Ｂａとにボルト・ナットからなる固定具６が挿通されている。これにより、連結金具４Ａと連結金具４Ｂとは、図８（ｂ）に示すように、連結されることとなる。
【００３３】
かくして、このように連結された連結金具４Ａと連結金具４Ｂとは、図７（ａ）に示すように、一方の壁２を水平方向（図示正面から見て横方向）に配置し、他方の壁２を垂直方向（図示正面からみて縦方向）に配置しているＴ字形の配置がされている壁本体２０の上面２０ａに形成されているスリット２１に挿入されることとなる。より具体的に説明すると、図７（ａ）に示すように、水平方向（図示正面から見て横方向）に配置している壁本体２０の上面２０ａのスリット２１には、連結金具４Ｂの垂直部４２Ｂが挿入され、垂直方向（図示正面からみて縦方向）に配置している壁本体２０の上面２０ａのスリット２１には、連結金具４Ａの垂直部４２Ａが挿入されることとなる。これにより、Ｔ字形の配置をしている壁２同士を、連結金具４Ａと連結金具４Ｂとによって、連結することが可能となる。なお、連結金具４Ａの垂直部４２Ａ、連結金具４Ｂの垂直部４２Ｂの高さは、スリット２１の深さＤ（図４（ｂ）参照）よりも低く形成され、約５．８ｍｍ程度に形成されている。また、図示はしていないが、Ｔ字形の配置をしている壁２同士を、より強固に連結したい場合、図６（ｂ）に示す釘５を、連結金具４Ａの水平部４１Ａの孔４０Ａａ、及び／又は、連結金具４Ｂの水平部４１Ｂの孔４０Ｂａに挿通し、壁本体２０の上面２０ａに打設するようにしても良い。
【００３４】
一方、連結金具４Ｃは、図８（ｃ）に示すように、複数の孔４０Ｃａを有するステンレス製のパンチングメタルからなるＬ字状の連結金具本体４０Ｃを有している。この連結金具本体４０Ｃは、薄板矩形状横長の水平部４１Ｃと、薄板矩形状の垂直部４２Ｃと、で構成されている。水平部４１Ｃは、上面４１Ｃａと、底面４１Ｃｂと、左側面４１Ｃｃと、右側面４１Ｃｄと、を有しており、上面４１Ｃａ及び左側面４１Ｃｃ並びに右側面４１Ｃｄは、凹凸状に形成されている。また、垂直部４２Ｃは、上面４２Ｃａと、底面４２Ｃｂと、左側面４２Ｃｃと、右側面４２Ｃｄと、を有しており、底面４２Ｃｂ及び左側面４２Ｃｃ並びに右側面４２Ｃｄは、凹凸状に形成されている。そして、この水平部４１Ｃの底面４１Ｃｂと、垂直部４２Ｃの上面４２Ｃａとが、水平部４１Ｃと垂直部４２Ｃとが直交するように一体的に連接されている。これにより、Ｌ字状の連結金具本体４０Ｃが形成されることとなる。
【００３５】
かくして、上記のように構成される連結金具４Ａと連結金具４Ｃとは、図８（ｃ）に示すように、連結されている。より具体的に説明すると、図８（ｃ）に示すように、連結金具４Ａの垂直部４２Ａの右側面４２Ａｄに形成されている凹凸と、連結金具４Ｃの垂直部４２Ｃの左側面４２Ｃｃに形成されている凹凸とが嵌合することにより、連結金具４Ａと連結金具４Ｃとは、連結されている。
【００３６】
かくして、このように連結された連結金具４Ａと連結金具４Ｃとは、図７（ａ）に示すように、一方の壁２を水平方向（図示正面から見て横方向）に配置し、他方の壁２を垂直方向（図示正面から見て縦方向）に配置しているＬ字形の配置がされている壁本体２０の上面２０ａに形成されているスリット２１に挿入されることとなる。より具体的に説明すると、図７（ａ）に示すように、水平方向（図示正面から見て横方向）に配置している壁本体２０の上面２０ａのスリット２１には、連結金具４Ｃの垂直部４２Ｃが挿入され、垂直方向（図示正面から見て縦方向）に配置している壁本体２０の上面２０ａのスリット２１には、連結金具４Ａの垂直部４２Ａが挿入されることとなる。これにより、Ｌ字形の配置をしている壁２同士を、連結金具４Ａと連結金具４Ｃとによって、連結することが可能となる。なお、連結金具４Ａの垂直部４２Ａ、連結金具４Ｃの垂直部４２Ｃの高さは、スリット２１の深さＤ（図４（ｂ）参照）よりも低く形成され、約５．８ｍｍ程度に形成されている。また、図示はしていないが、Ｌ字形の配置をしている壁２同士を、より強固に連結したい場合、図６（ｂ）に示す釘５を、連結金具４Ａの水平部４１Ａの孔４０Ａａ、及び／又は、連結金具４Ｃの水平部４１Ｃの孔４０Ｃａに挿通して、壁本体２０の上面２０ａに打設するようにしても良い。
【００３７】
かくして、上記説明したような連結金具３，４Ａ，４Ｂ，４Ｃを用いれば、発泡スチロールによって形成された複数の壁２同士を連結させることが可能となる。これにより、図１に示すような原寸大の間取りを構築した内覧用模造建物１を構築できることとなる。
【００３８】
しかして、以上説明した本実施形態によれば、発泡スチロールによって壁２を形成し、予め設計された間取り図ＭＺに基づき、該壁２同士を、連結金具３，４Ａ，４Ｂ，４Ｃを用いて連結することで原寸大の間取りを構築した内覧用模造建物１を構築することができる。これにより、短期間で内覧用模造建物１を構築することができると共に、住宅を施工する前に、顧客は、使い勝手をシミュレーションすることができ、もって、実際の大きさや居心地などを現実に体感することができる。
【００３９】
しかして、本実施形態によれば、想像していた住宅と、完成した住宅との間の齟齬を低減させることができ、もって、顧客満足を十分に得ることができる。
【００４０】
また、本実施形態によれば、連結金具３の第１水平部３２，第２水平部３３を釘５によって床Ｇに固定し、連結金具３の垂直部３１に壁２の底面２０ｂに形成されているスリット２１を挿入するだけで、壁２同士を連結させることができるから、簡単容易に壁２同士を連結することが可能となる。
【００４１】
さらに、本実施形態によれば、壁２同士の一方の壁２を水平方向に、他方の壁２を垂直方向に配置して、該壁２同士を連結するにあたり、壁２の上面２０ａに形成されているスリット２１にＬ字状の連結金具４Ａ〜４Ｃを挿入するだけで、壁２同士を連結することができる。これにより、壁２同士の一方の壁２を水平方向に、他方の壁２を垂直方向に配置して、該壁２同士を連結する場合であっても、簡単容易に壁２同士を連結することが可能となる。
【００４２】
なお、本実施形態にて示した原寸大の窓枠１０Ａａ，１０Ｂａ，１０Ｂｂ，１１ａ、原寸大の扉枠１２ａを構築するにあたっては、図４（ａ）に示す厚板矩形状に形成された壁本体２０に所定の穴を切り欠いて、原寸大の窓枠１０Ａａ，１０Ｂａ，１０Ｂｂ，１１ａ、原寸大の扉枠１２ａを構築するようにすれば良い。
【００４３】
ところで、壁２の上面２０ａには、図７（ｂ）に示すように、ポリ塩化ビニル等で形成された厚板矩形状の板７が、連結された壁２の上面２０ａに沿って複数載置されている。この板７は赤等で着色されており、図７（ａ）に示す連結金具４Ａ，４Ｂ，４Ｃを隠蔽する化粧板の役割をすると共に、図１に示すように、内覧用模造建物１を上方から見た際に、和室１０Ａや、リビングダイニング１０Ｂ等の境界がどこなのかを判別し易くする役割も担っている。
【００４４】
なお、本実施形態において示した形状等はあくまで一例であり、特許請求の範囲に記載された本発明の要旨の範囲内において、種々の変形・変更が可能である。例えば、連結金具３，４Ａ，４Ｂ，４Ｃとして、ステンレス製のパンチングメタルを例示したが、それに限らず、釘５を挿入する箇所だけ孔が開いているものでも良い。また、連結金具３を床Ｇに固定するにあたって、釘５を用いる例を示したが、それに限らず、どのような釘でも良く、又、釘に限らず、ネジやボルト、ビス等、床Ｇに固定できるものであればどのようなものでも良い。
【符号の説明】
【００４５】
１                    内覧用模造建物
２                    壁
３                    連結金具（連結手段）
４Ａ，４Ｂ，４Ｃ      連結金具（連結手段）
５                    釘（固定手段）
２０                  壁本体
２０ａ                上面（側周面）
２０ｂ                下面（側周面）
２０ｃ                左側面（側周面）
２０ｄ                右側面（側周面）
２１                  スリット
３１                  垂直部
３２                  第１水平部（水平部）
３３                  第２水平部（水平部）
Ｇ                    床
ＭＺ                  間取り図
【図１】
2020085986.tif 000003
【図２】
2020085986.tif 000004
【図３】
2020085986.tif 000005
【図４】
2020085986.tif 000006
【図５】
2020085986.tif 000007
【図６】
2020085986.tif 000008
【図７】
2020085986.tif 000009
【図８】
2020085986.tif 000010
【図９】
2020085986.tif 000011
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
発泡スチロールによって壁を形成し、予め設計された間取り図に基づき、該壁同士を、連結手段を用いて連結することで原寸大の間取りを構築し、
前記壁は、発泡スチロールによって矩形状に形成され、側周面には、周方向に沿って、スリットが形成されており、
前記連結手段は、パンチングメタルにて形成されると共に、
長手方向に向かって延設されている垂直部と、
前記垂直部と直交する方向に突設している水平部と、を有し、
前記水平部は、前記パンチングメタルによって形成された孔内に釘を挿入することによって、床に固定され、
前記垂直部には、前記壁の底面に形成されているスリットが、該垂直部の上面から挿入されることによって、前記壁同士が並列に連結されてなる内覧用模造建物。
【請求項２】
前記壁は、発泡スチロールによって矩形状に形成され、側周面には、周方向に沿って、スリットが形成されており、
前記連結手段は、Ｌ字状の金具で形成されており、
前記壁同士の一方の壁を水平方向に、他方の壁を垂直方向に配置して、該壁同士を連結するにあたり、前記壁の上面に形成されているスリットに前記Ｌ字状の金具が挿入されることによって、該壁同士が連結されてなる請求項１に記載の内覧用模造建物。
【手続補正２】
【補正対象書類名】明細書
【補正対象項目名】０００８
【補正方法】変更
【補正の内容】
【０００８】
請求項１の内覧用模造建物によれば、発泡スチロールによって壁（２）を形成し、予め設計された間取り図（ＭＺ）に基づき、該壁（２）同士を、連結手段（連結金具３，４Ａ，４Ｂ，４Ｃ）を用いて連結することで原寸大の間取りを構築し、
前記壁（２）は、発泡スチロールによって矩形状に形成され、側周面（上面２０ａ、底面２０ｂ、左側面２０ｃ、右側面２０ｄ）には、周方向に沿って、スリット（２１）が形成されており、
前記連結手段（連結金具３）は、パンチングメタルにて形成されると共に、
長手方向に向かって延設されている垂直部（３１）と、
前記垂直部（３１）と直交する方向に突設している水平部（第１水平部３２，第２水平部３３）と、を有し、
前記水平部（第１水平部３２，第２水平部３３）は、前記パンチングメタルによって形成された孔（３０ａ）内に釘（５）を挿入することによって、床（Ｇ）に固定され、
前記垂直部（３１）には、前記壁（２）の底面に形成されているスリット（２）が、該垂直部（３１）の上面（３１ａ）から挿入されることによって、前記壁（２）同士が並列に連結されてなることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
さらに、請求項２の発明によれば、上記請求項１に記載の内覧用模造建物において、前記壁（２）は、発泡スチロールによって矩形状に形成され、側周面（上面２０ａ、底面２０ｂ、左側面２０ｃ、右側面２０ｄ）には、周方向に沿って、スリット（２１）が形成されており、
前記連結手段（連結金具４Ａ，４Ｂ，４Ｃ）は、Ｌ字状の金具で形成されており、
前記壁（２）同士の一方の壁（２）を水平方向に、他方の壁（２）を垂直方向に配置して、該壁（２）同士を連結するにあたり、前記壁（２）の上面（２０ａ）に形成されているスリット（２１）に前記Ｌ字状の金具が挿入されることによって、該壁（２）同士が連結されてなることを特徴としている。
【手続補正５】
【補正対象書類名】明細書
【補正対象項目名】００１４
【補正方法】変更
【補正の内容】
【００１４】
また、本発明によれば、パンチングメタルにて形成される連結手段（連結金具３）の水平部（第１水平部３２，第２水平部３３）を、パンチングメタルによって形成された孔（３０ａ）内に釘（５）を挿入することによって、床（Ｇ）に固定し、パンチングメタルにて形成される連結手段（連結金具３）の垂直部（３１）に、壁（２）の底面（２０ｂ）に形成されているスリット（２１）を、垂直部（３１）の上面（３１ａ）に挿入するだけで、壁（２）同士を並列に連結することができるから、簡単容易に壁（２）同士を並列に連結することが可能となる。
【手続補正６】
【補正対象書類名】明細書
【補正対象項目名】００１５
【補正方法】変更
【補正の内容】
【００１５】
さらに、請求項２の発明によれば、壁（２）同士の一方の壁（２）を水平方向に、他方の壁（２）を垂直方向に配置して、該壁（２）同士を連結するにあたり、壁（２）の上面（２０ａ）に形成されているスリット（２１）にＬ字状の金具を挿入するだけで、該壁（２）同士を連結することができる。これにより、壁（２）同士の一方の壁（２）を水平方向に、他方の壁（２）を垂直方向に配置して、該壁（２）同士を連結する場合であっても、簡単容易に壁（２）同士を連結することが可能となる。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
発泡スチロールによって壁を形成し、予め設計された間取り図に基づき、該壁同士を、連結手段を用いて連結することで原寸大の間取りを構築し、
前記壁は、発泡スチロールによって矩形状に形成され、側周面には、周方向に沿って、スリットが形成されており、
前記連結手段は、パンチングメタルにて形成されると共に、長手方向に向かって延設されている垂直部と、該垂直部と一体的に直交する方向に突設している水平部とで構成されたＬ字状の金具で形成され、
前記壁同士を並列に立設させるにあたって、まず、前記パンチングメタルによって形成された前記水平部の孔内に釘を挿入することによって、該水平部を床に固定し、もって、前記垂直部を起立させた状態で前記連結手段を前記床に固定し、次いで、前記床に固定された前記連結手段の垂直部の上面から、前記壁の底面に形成されているスリットを挿入することによって、前記壁同士を並列に立設させてなり、さらに、
前記壁同士の一方の壁を水平方向に、他方の壁を垂直方向に配置して、該壁同士を連結するにあたり、まず、前記連結手段を一対用意し、その用意した一対の連結手段同士を連接させ、次いで、その連接させた一対の連結手段の一方の連結手段の垂直部を上から前記一方の壁の上面に形成されているスリットに挿入すると共に、他方の連結手段の垂直部を上から前記他方の壁の上面に形成されているスリットに挿入することによって、前記壁同士の一方の壁を水平方向に、他方の壁を垂直方向に配置して、該壁同士を連結してなる内覧用模造建物。
【手続補正２】
【補正対象書類名】明細書
【補正対象項目名】０００８
【補正方法】変更
【補正の内容】
【０００８】
請求項１の内覧用模造建物によれば、発泡スチロールによって壁（２）を形成し、予め設計された間取り図（ＭＺ）に基づき、該壁（２）同士を、連結手段（連結金具３，４Ａ，４Ｂ，４Ｃ）を用いて連結することで原寸大の間取りを構築し、
前記壁（２）は、発泡スチロールによって矩形状に形成され、側周面（上面２０ａ、底面２０ｂ、左側面２０ｃ、右側面２０ｄ）には、周方向に沿って、スリット（２１）が形成されており、
前記連結手段（連結金具３）は、パンチングメタルにて形成されると共に、長手方向に向かって延設されている垂直部（３１）と、該垂直部（３１）と一体的に直交する方向に突設している水平部（第１水平部３２，第２水平部３３）とで構成されたＬ字状の金具で形成され、
前記壁（２）同士を並列に立設させるにあたって、まず、前記パンチングメタルによって形成された前記水平部（第１水平部３２，第２水平部３３）の孔（３０ａ）内に釘（５）を挿入することによって、該水平部（第１水平部３２，第２水平部３３）を床（Ｇ）に固定し、もって、前記垂直部（３１）を起立させた状態で前記連結手段（連結金具３）を前記床（Ｇ）に固定し、次いで、前記床（Ｇ）に固定された前記連結手段（連結金具３）の垂直部（３１）の上面から、前記壁（２）の底面（２０ｂ）に形成されているスリット（２１）を挿入することによって、前記壁（２）同士を並列に立設させてなり、さらに、
前記壁（２）同士の一方の壁（２）を水平方向に、他方の壁（２）を垂直方向に配置して、該壁（２）同士を連結するにあたり、まず、前記連結手段（連結金具４Ａ，４Ｂ，４Ｃ）を一対用意し、その用意した一対の連結手段（連結金具４Ａ，４Ｂ，４Ｃ）同士を連接させ、次いで、その連接させた一対の連結手段（連結金具４Ａ，４Ｂ，４Ｃ）の一方の連結手段（連結金具４Ａ）の垂直部（４２Ａ）を上から前記一方の壁（２）の上面（２０ａ）に形成されているスリット（２１）に挿入すると共に、他方の連結手段（連結金具４Ｂ，４Ｃ）の垂直部（４２Ｂ，４２Ｃ）を上から前記他方の壁（２）の上面（２０ａ）に形成されているスリット（２１）に挿入することによって、前記壁（２）同士の一方の壁（２）を水平方向に、他方の壁（２）を垂直方向に配置して、該壁（２）同士を連結してなることを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１４
【補正方法】変更
【補正の内容】
【００１４】
また、本発明によれば、まず、パンチングメタルにて形成される連結手段（連結金具３）の水平部（第１水平部３２，第２水平部３３）を、パンチングメタルによって形成された孔（３０ａ）内に釘（５）を挿入することによって、床（Ｇ）に固定し、これによって、垂直部（３１）を起立させた状態で連結手段（連結金具３）を床（Ｇ）に固定する。次いで、床（Ｇ）に固定された連結手段（連結金具３）の垂直部（３１）の上面から、壁（２）の底面（２０ｂ）に形成されているスリット（２１）を挿入することによって、壁（２）同士を並列に連結することができるから、簡単容易に壁（２）同士を並列に連結することが可能となる。
そしてさらに、壁（２）同士の一方の壁（２）を水平方向に、他方の壁（２）を垂直方向に配置して、該壁（２）同士を連結するにあたり、まず、連結手段（連結金具４Ａ，４Ｂ，４Ｃ）を一対用意し、その用意した一対の連結手段（連結金具４Ａ，４Ｂ，４Ｃ）同士を連接させる。次いで、その連接させた一対の連結手段（連結金具４Ａ，４Ｂ，４Ｃ）の一方の連結手段（連結金具４Ａ）の垂直部（４２Ａ）を上から一方の壁（２）の上面（２０ａ）に形成されているスリット（２１）に挿入すると共に、他方の連結手段（連結金具４Ｂ，４Ｃ）の垂直部（４２Ｂ，４２Ｃ）を上から他方の壁（２）の上面（２０ａ）に形成されているスリット（２１）に挿入することによって、壁（２）同士の一方の壁（２）を水平方向に、他方の壁（２）を垂直方向に配置して、該壁（２）同士を連結することができる。これにより、簡単容易に壁（２）同士を連結することが可能となる。
【手続補正５】
【補正対象書類名】明細書
【補正対象項目名】００１５
【補正方法】削除
【補正の内容】